(57)【要約】【課題】少なくとも一つのスイッチング電源を含むにもかかわらず、負荷には低レベルの電気ノイズエネルギのみ伝える分散型ＤＣ電源を提供する。【解決手段】システムグラウンドに接続された少なくとも一つの負荷に接続された少なくとも一つのスイッチング電源を含む分散型ＤＣ電源ネットワークである。スイッチング電源から負荷への高周波スイッチングノイズの伝播を低減するために、ＤＣ／ＤＣコンバータがシステムグラウンドに関して浮動する。スイッチング電源とＤＣ／ＤＣコンバータとの間、及び／又は、ＤＣ／ＤＣコンバータとそれらの各負荷との間には、低域通過フィルタが挿入されてもよい。本発明の更なる態様は、システムグラウンドとアースグラウンドとの間にＡＣインピーダンス差を設け、負荷に伝導されるノイズのレベルを更に低減することを企図する。【選択図】図１
2007202395.tif 000002
【特許請求の範囲】
【請求項１】
ａ）(i) ＡＣ電気エネルギの源に接続可能な一対のＡＣ入力端子及び(ii) 一対のＤＣ出力端子を有するスイッチング電源と、
ｂ）(i) 前記スイッチング電源のＤＣ出力端子に接続された一対の入力端子及び (ii) ＤＣ負荷に接続可能な一対のＤＣ出力端子を有するＤＣ／ＤＣコンバータであって、前記ＤＣ／ＤＣコンバータのＤＣ出力端子の一つがシステムグラウンドに接続されるものと、
ｃ）前記スイッチング電源及び前記ＤＣ／ＤＣコンバータと結合せしめられた電気伝導シャーシであって、アースグラウンドに接続されているものと、
ｄ）前記アースグラウンドから前記システムグラウンドを分離するリアクタンス性インピーダンス手段であって、前記スイッチング電源によって発生し前記アースグラウンドにそって伝導するノイズの伝播を低減すべく特定のＡＣ周波数を抑止するように調整されているものと、
を具備する分散型ＤＣ電源ネットワーク。
【発明の詳細な説明】
【技術分野】
【０００１】
本発明は、分散型ＤＣ（直流）電源の分野に関する。より詳細には、本発明は、分散型ＤＣ電源ネットワーク（回路網）であって、該ネットワークによって駆動せしめられる負荷へのノイズ（雑音）エネルギの伝播を減少させるべくシステムグラウンドに関してその入力が浮動（フローティング）(float) する１又は２以上のＤＣ／ＤＣコンバータ（直流／直流変換器）に結合された少なくとも一つのスイッチング電源を含むものに関する。かくして、本発明は、血球(blood cell)カウンタ（計数器）のような医療計測及びその他の小信号応用分野における使用に特に適したものである。
【背景技術】
【０００２】
血球カウンタ及びその他各種の電子計測制御応用分野においては、充分に調整されたＤＣ電気エネルギを複数の電気負荷に供給することが必要である。かかる負荷は、相互に物理的に離隔して置かれる場合もあれば、相互に著しく異なる電圧電流要件を有する場合もある。そのような負荷を収容するために、単一の大ＤＣ電源が共通ＤＣバスに給電し、次いでそのバスが複数の局所的なＤＣ／ＤＣコンバータモジュールに給電し、そのモジュールが各々の負荷によって要求される電圧及び電流を供給する。各ＤＣ／ＤＣコンバータは、給電される負荷に物理的に近接して配置されることができる。このことは、布線抵抗による電圧降下を低減し、かつ、入力電圧変動及び／又は負荷によって要求される電流の大きさの変化にもかかわらず負荷電圧の精密な調整を可能とする。典型的には、ＤＣ／ＤＣコンバータに給電するＤＣバスには、線形電源(linear power supply) が給電する。
【０００３】
従来の線形電源においては、変圧器の一次巻線にＡＣ（交流）線間電圧が印加される。次いで、変圧器の１又は２以上の二次巻線の出力は、整流され、そして特定のＤＣ負荷の電圧及び電流要件を満たすのに必要な程度にまで出力リプルを低減させるべく容量的に又は他の方法で調整される。線形電源は、電気ノイズがほとんどない充分に調整された出力を提供することができる一方、数多くの制限を受ける。線形電源は、製造するのに、物理的に巨大で、重く、かつ高価なものとなる傾向がある。
【０００４】
線形電源の上述の制限のため、システムエンジニアたちは、各種の応用に関し、ますますスイッチング電源に転向してきている。この説明及び特許請求の範囲にて使用されるように、「スイッチング電源(switching power supply)」という用語は、広く解釈されるべきであり、連続列のパルスの幅、デューティサイクル、又は周波数を制御するためのトランジスタのような半導体スイッチングデバイスの伝導状態を変更することによって出力が少なくとも一部は調整されるあらゆる電源をいう。それらは、出力調整のために主としてキャパシタ又は他の受動要素に依存するということがないため、スイッチング電源は、典型的に、同等の出力電力定格の線形電源よりも効率的で、重さが軽く、低価格である。しかしながら、そのような性能は、今までいくつかの応用にとってはスイッチング電源を不適切なものとしてきた特定の不利益を伴う。明らかに、スイッチング電源における半導体スイッチングデバイスの動作は、かなりの量の高周波電気ノイズを発生させる傾向がある。多くの医療器材のようなノイズ感知性の応用分野においては、小さな振幅の信号が測定され又は処理されるが、今までスイッチング電源の使用に伴うものであった信号対ノイズ比の低下は、器材の性能の精度その他の面に不利な影響を与えてきたであろう。さらに、このノイズを、従来の電磁シールド及び／又はフィルタリング技術を適用するだけで充分に低減することは、常にはできない。外部システムへのかかるノイズの放射は、各接地負荷と同様に、アースに結合された信号低インピーダンスグラウンドパスにシステム内の各ＤＣ／ＤＣコンバータの負入力側を連結することによって、認可機関（approvals agencies）にとって受容可能なレベルまで低減せしめられることができる。しかしながら、そのような配置は、ノイズがグラウンドパスにそって伝導する傾向があるため、動作中は満足なものでなく、ノイズ感知性負荷の適当な動作を干渉する。
【発明の開示】
【発明が解決しようとする課題】
【０００５】
以上に鑑み、少なくとも一つのスイッチング電源を含むがそれにもかかわらず電源に接続されたあらゆる負荷に低レベルの電気ノイズエネルギのみ伝える分散型ＤＣ電源の必要性が理解される。本発明の更なる目的は、負荷に低レベルの電気ノイズエネルギのみ伝える一方、過度に精巧な又は高価なシールド又はフィルタリングを含むことなく、各種の規定機関によって課される標準制限に適合することができるように、充分に低レベルの電磁干渉（ＥＭＩ）を放射する分散型ＤＣ電源を提供することにある。
【課題を解決するための手段】
【０００６】
ＡＣ線路入力、ＤＣ出力端子、及びＤＣリターン端子を有する少なくとも一つのスイッチング電源を含む分散型電源が提供される。これらのＤＣ出力は、その出力が負荷に給電する、少なくとも一つのＤＣ／ＤＣコンバータの入力側に接続される。本発明によれば、そのＤＣ／ＤＣコンバータの入力は、負荷への高周波スイッチングノイズの伝播を低減するためにシステムグラウンドに関して浮動（フローティング）（float）する。負荷へのノイズの伝播をさらに低減するために、そのシステムグラウンドは、特定のＡＣ周波数を抑止（suppress）するように調整（tune）されたリアクタンス性（誘導性）インピーダンスによってシャーシ(chassis) グラウンド（アースグラウンド）から分離（isolate）される。放射される電磁干渉の過度のレベルを更に避けるために、スイッチング電源出力と各ＤＣ／ＤＣコンバータの入力との間に低域通過フィルタが挿入される。スイッチングノイズを更に減衰せしめるために、各ＤＣ／ＤＣコンバータの出力と各ノイズ感知性負荷との間に付加的な低域通過フィルタを挿入することが好ましい。更に、本発明によれば、血球（blood cell）カウンタ（計数器）内のコンプレッサモータのような付加的な負荷に給電する同一のＡＣ線路に第２のスイッチング電源が結合されてもよい。付加的な負荷及び／又は第２のスイッチング電源から他の負荷へのノイズの伝播を低減するために、その第２のスイッチング電源の出力は、同様に浮動し、好ましくは、システムグラウンドから完全に電気的に絶縁される。随意に、第２のスイッチング電源と付加的な負荷との間にフィルタネットワークが挿入されてもよい。付加的なスイッチング電源及び関連する負荷は、望まれるならば、相似的にカスケード接続されることができる。本発明のこれらの及び他の目的及び利益は、本開示及び添付図面（類似した参照符号は類似した要素を指定する）に照らし、当業者にとって明らかとなろう。
【発明を実施するための最良の形態】
【０００７】
図１は、複数のシステム負荷１２、１４、１６及び１８にＤＣ電気エネルギを供給するのに適した低ノイズ分散型スイッチング電源ネットワーク１０のブロック図を示す。これらのシステム負荷は、似たものでもよいし、相互に異なる電圧及び電流要件を有していてもよい。負荷１２、１４及び／又は１６のうちのいくつかのような、ネットワーク１０に結合された負荷のうちのいくつかが、電気ノイズの存在によって不利な影響を受ける可能性がある一方、負荷１８のような他のものは、顕著なレベルの電気ノイズエネルギをそれ自身発生させるＤＣコンプレッサモータのようなデバイスからなる可能性もある。ネットワーク１０は、ＡＣ入力２４を有する少なくとも一つのスイッチング電源２０を含み、そのＡＣ入力２４は、外部ＡＣ電力幹線３６に結合可能な線路導体３０と中性導体（neutral conductor）３３とを含む。ネットワーク１０は、また、ＡＣ電力幹線３６と関連づけられたアースグラウンド４１に典型的に結合されたシステムグラウンド導体４０を含む。好ましくは、導体がループ状に巻かれた個々のフェライトビード（ferrite bead）（すなわち、インダクタ）４２、４３及び４４を介してアースグラウンド４１にシステムグラウンド導体４０を結合することによって、アースグラウンドとシステムグラウンドとの間にわずかなＡＣインピーダンス差を設け、アースグラウンド４１上のノイズをシステムグラウンド導体４０から分離する傾向とする。下記のとおり、ビード４２、４３及び４４の各リアクタンス性インピーダンス（インダクタンス）は、特定の望ましくないＡＣノイズ周波数を抑止する調整済回路（tuned circuit）を提供するために選択される。少なくともいくつかの電磁シールドを提供するために、スイッチング電源２０のシャーシを含め、ネットワーク１０における各スイッチング電源のシャーシは、図示されたアースグラウンド４１に直接接続されてもよい。スイッチング電源２０は、「チョッパ」型又は「インバータ」型に制限されることなくその他の型を含め、各種の周知の型のものでよい。
【０００８】
典型的な「チョッパ」型スイッチング電源においては、通常、ＡＣ入力電圧が変圧器に印加され、より低い振幅のＡＣ電圧にステップダウンされる。次いで、この低ＡＣ電圧は、整流され及びフィルタリングされて、ＤＣ電圧を提供し、このＤＣ電圧は、制御回路によって作動せしめられる半導体スイッチによって高周波方形波に変換される。フィードバックを用いて、その制御回路は、その方形波のデューティサイクルを調整することにより、負荷に印加されるＤＣ出力電圧を調整する。このＤＣ出力電圧は、典型的には、方形波信号を整流しかつフィルタリングすることによって導かれる。
【０００９】
典型的な「インバータ」型スイッチング電源においては、ＡＣ線路入力電圧が、スイッチング回路によって、整流され、フィルタリングされ、かつ、高周波方形波に変換される。この方形波は、高周波変圧器の一次側に印加される。次いで、その変圧器の二次側に現れるＡＣ信号は、整流され、かつ、フィルタリングされて、所望のＤＣ負荷電圧を提供し、このＤＣ負荷電圧は、方形波を発生させるスイッチング回路に電圧フィードバック又は電流フィードバックのいくつかの形を提供することによって調整される。
【００１０】
使用される型にかかわらず、スイッチング電源２０は、ＤＣ出力端子４６とＤＣリターン端子４８（すなわち、システムグラウンド）とを含み、それらは、ＤＣバス５１と関連する各導体に結合される。次いで、ＤＣバス５１は、少なくとも一つのＤＣ／ＤＣコンバータ５６に結合され、また、典型的には、複数の付加的なＤＣ／ＤＣコンバータ５８及び６０に結合される。ＤＣバス５１がＤＣ／ＤＣコンバータ５６、５８及び６０の入力に直接に接続されてもよい一方、スイッチング電源２０の出力端子４６及び４８とＤＣ／ＤＣコンバータ５６、５８及び６０の入力に共通なバス５１の部分との間に低域通過フィルタ６３が挿入されることが好ましい。電気ノイズの放射を最小限に抑えるために、スイッチング電源２０の出力をフィルタ６３に接続する電気導体をできるだけ短く保つようにして、フィルタ６３がスイッチング電源２０にできるだけ密接して位置づけられるようにしなければならない。各ＤＣ／ＤＣコンバータ５６、５８及び６０は、それぞれ、正入力６６、６９及び７１を含み、この正入力は、スイッチング電源２０のＤＣ出力端子４６に結合されたバス５１の導体に接続される。同様に、各ＤＣ／ＤＣコンバータ５６、５８及び６０は、それぞれ、負入力７６、７９及び８１を含み、この負入力は、スイッチング電源２０のＤＣリターン端子４８に結合されたバス５１の導体に接続される。ＤＣ／ＤＣコンバータ５６、５８及び６０は、それぞれ一対の出力接続点８３及び８４、８６及び８７並びに８９及び９０によって各々が結合される各負荷１２、１４及び１６の電圧、電流及び調整要件に応じて選択される。各ＤＣ／ＤＣコンバータ５６、５８及び６０とそれらの各々によって駆動される各負荷１２、１４及び１６との間には、適当な低域通過フィルタ９２、９４及び９６が電気的に挿入されることが好ましい。必要があれば、ノード９７、９８及び９９において示される接続線によって各負荷１２、１４及び１６がシステムグラウンド４０に結合されてもよい。しかしながら、ノイズに対する感度を有する可能性があるシステム負荷１２、１４及び１６へスイッチング電源２０から電気ノイズが伝播するのをより効果的に低減するために、本発明は、ノイズ感知性であるシステム負荷１２、１４及び１６を駆動するＤＣ／ＤＣコンバータ５６、５８及び６０の負入力７６、７９及び８１を含め、少なくとも入力がシステムグラウンド導体４０に関し浮動することを企図する。ＤＣ／ＤＣコンバータ５６、５８及び６０の入力は、システムグラウンド導体から完全に電気的に絶縁されるか、又は、より好ましくは、それぞれＤＣ／ＤＣコンバータ５６、５８及び６０の負入力７６、７９及び８１の各１個とアースグラウンド４１との間に直列に接続可能なバイパスキャパシタによってＡＣ結合される。かくして、ここで及び特許請求の範囲で使用されるように、「浮動する」又は「浮動」は、少なくともいくつかの高周波ＡＣ結合を付加的に許容しつつＤＣ結合が実質的に存在しないことをいう。ＤＣ／ＤＣコンバータ５６、５８及び６０によって駆動されるシステム負荷１２、１４及び１６のうちの特定の一つがノイズ保護を必要とするかしないかにかかわらず、ネットワーク１０に含まれるＤＣ／ＤＣコンバータの入力は、システムグラウンド４０に関しそのように浮動することが好ましい。
【００１１】
本発明の更なる態様が図１のみに示されている。ネットワーク１０は、スイッチング電源２０に類似した又はそれと異なる型の少なくとも一つの付加的なスイッチング電源１０１を含んでいてもよい。スイッチング電源１０１は、スイッチング電源２０のＡＣ入力２４の線路導体３０及び中性導体３３に共通に接続されるＡＣ入力１０３を含む。更に、スイッチング電源１０１は、コンプレッサモータ１８のような付加的なシステム負荷に給電するＤＣ出力端子１０６及びＤＣリターン端子１０８を含む。コンプレッサモータ１８の動作によって発生せしめられる電気ノイズを、スイッチング電源１０１によって発生せしめられる電気ノイズと同様に、実質的に減衰せしめるべく調整（tune）された低域通過フィルタ１１０によって、付加的な負荷１８がスイッチング電源１０１に結合されることが好ましい。このような電気ノイズの放射を最小限に抑えるのを援助すべく、ＤＣ出力１０６及び１０８に結合された電気導体及びコンプレッサモータ１８に結合された電気導体をできるだけ短く保つことにより、低域通過フィルタ１１０が、コンプレッサモータ１８とスイッチング電源１０１とにできるだけ密接して位置づけられることが好ましい。本発明のこの態様によれば、スイッチング電源１０１のＤＣ出力１０６及び１０８は、システムグラウンド４０に関し浮動し、好ましくは、それから完全に電気的に絶縁されて、システム負荷１２、１４及び１６に電気ノイズが伝播するのを最小限に抑える。
【００１２】
図３及び図４（これらの図の関係は図２に示される）に示されるように、本発明に従って構成された低ノイズ分散型スイッチング電源ネットワーク１０は、スイッチング電源２０を含み、このスイッチング電源２０は、カリフォルニア、カマリロ（Camarillo）のパワーワン（Power-One）によって製造されたモデル SPF6LG4U6CES358のような型、又は適当な回路ブレーカ及び／又は他の過電流及び／又は過電圧保護デバイス（図示せず）によって適当なＡＣ電力幹線３６に接続するのに適応した適当な等価物からなるものでよい。ＡＣ線路に関連するアースグラウンド４１は、３つの並列なフェライトビード４２、４３及び４４を通過して、静かな（quiet）システムグラウンド４０を形成する。ビード４２、４３及び４４のインダクタンス及びインピーダンス特性は、最良の結果を提供すべく、所与のシステムに存在するピークノイズ周波数に照らして選択される。スイッチング電源２０は、そのＤＣ出力端子４６及び４８において、図示された４８Ｖ／１５ＶのＤＣ／ＤＣコンバータＵ１，５６、４８Ｖ／１５ＶのＤＣ／ＤＣコンバータＵ３，５８、及び４８Ｖ／３００ＶのＤＣ／ＤＣコンバータＵ５，６０の各入力６６、７６、６９、７９、７１及び８１に結合される。
【００１３】
分巻（split winding）同相（common mode）チョークＬ１と直並列キャパシタＣ１、Ｃ１’、Ｃ２及びＣ２’とからなるデュアルπ型低域通過フィルタ６３は、スイッチング電源２０の端子４６及び４８とＤＣ／ＤＣコンバータ５６、５８及び６０の各々との間に電気的に接続され、ＤＣ／ＤＣコンバータ５６、５８及び６０の４８Ｖ入力は、相互に並列に接続される。スイッチング電源２０のＤＣリターン端子４８に各々接続された、ＤＣ／ＤＣコンバータ５６、５８及び６０の負入力は、図示されたバイパスキャパシタＣ３、Ｃ５及びＣ８を介してアースグラウンド４１にＡＣ結合されて、スイッチング電源２０の動作によって発生せしめられる少なくとも電気ノイズの部分をグラウンド４１に分流（shunt）するのを促進することができる。しかしながら、ＤＣ感知の面では、ＤＣ／ＤＣコンバータの入力６６、７６、６９、７９、７１及び８１は、各入力対の各々とシステムグラウンド４０との間のＤＣ電位が相互に他方に対し浮動することができるように、アースグラウンド４１からもシステムグラウンド４０からも絶縁されている。電磁シールドを提供するために、ＤＣ／ＤＣコンバータ５６のシャーシは、図示のようにアースグラウンド４１に接続される。ＤＣ／ＤＣコンバータ１５の負ＤＣ出力端子８４は、バイパスキャパシタＣ４によってアースグラウンド４１に結合され、そして、ノード９７で示されるシステム負荷１２の一方側に沿って、図示のシステムグラウンド４０に直接接続されてもよい。
【００１４】
ＤＣ／ＤＣコンバータ５６の出力とシステム負荷１２との間には、調整可能な３端子直列電圧レギュレータＵ２を介して、インダクタＬ２並びに並列キャパシタＣ９及びＣ１０からなる低域通過フィルタ９２が電気的に結合される。フィードバックダイオードＤ１は、レギュレータＵ２の出力端子及び入力端子にかかり（span）、電圧調整を促進する。レギュレータＵ２の出力端子は、レギュレータＵ２に印加される１５Ｖ入力をシステム負荷１２が必要とする６．３Ｖに減じるようにその値が選択されている抵抗Ｒ１及びＲ２からなる電圧分割器を介して、その調整入力に結合される。レギュレータＵ２の調整端子に印加される電圧を安定化し、そうして発振を避けるために、図示のようにＲ２と並列にキャパシタＣ１５が接続される。調整を更に改良するために、図示のように、システム負荷１２と並列にキャパシタＣ１６が接続されてもよい。
【００１５】
ＤＣ／ＤＣコンバータ５８は、図示のようにノード９８においてシステムグラウンド４０に直接接続されるとともにキャパシタＣ６を介してアースグラウンド４１に結合されることができる共通線路に関して測定される＋１５Ｖ出力及び−１５Ｖ出力を発生させる。図３及び図４に示される方法で、ＤＣ／ＤＣコンバータ５８の出力とシステム負荷１４との間には、インダクタＬ３及びＬ４並びにキャパシタＣ１１、Ｃ１２、Ｃ１３及びＣ１４からなる低域通過フィルタ９４が接続される。
【００１６】
図１には示されていないが、図３及び図４の実施例は、直列抵抗Ｒ４及び光絶縁器（opto-isolator）Ｕ４を介してＤＣ／ＤＣコンバータ６０に関連する一対のＴＴＬ制御入力に結合されたローカル又はリモートコントローラ１２０によりシステム負荷１６を制御するのを付加的に援助する。光絶縁器Ｕ４の動作電圧は、ＤＣ／ＤＣコンバータ５８の正供給電圧から直接導かれる。図示のように直列に接続されたドロップ抵抗Ｒ３は、光絶縁器Ｕ４の出力段を駆動するために適当なＴＴＬ電圧レベル内への電流制限を提供する。ＤＣ／ＤＣコンバータＵ５，６０は、コントローラ１２０の出力による制御により選択的にスイッチオン及びスイッチオフされうる３００ＶのＤＣ出力を発生させる。ＤＣ／ＤＣコンバータ６０の出力は、一対のインダクタＬ５及びＬ６並びにキャパシタＣ７、Ｃ１７、Ｃ１８及びＣ１９から構成される低域通過フィルタを介してシステム負荷１６に結合される。負荷１２及び１４の場合のように、システム負荷１６の一方側は、ノード９９にて示されるようにシステムグラウンド導体４０に直接接続されてもよい。図３及び図４の回路に関する部品リストが下記表１に示される。
【００１７】
【表１】
2007202395.tif 000003
【００１８】
動作中、スイッチング電源２０の付勢は、かなりのレベルの電気ノイズを発生させる可能性がある。ＤＣ／ＤＣコンバータ５６、５８及び６０への入力を浮動せしめることによって、かかるノイズのシステム負荷１２、１４及び１６への結合は、大いに減衰せしめられる。そうすることは、通常、ＤＣ／ＤＣコンバータ５６、５８及び６０からの反射電流ノイズのため放射ノイズ放出の望ましくない増加に結果するが、このことは、好適な実施例においてはデュアルπフィルタ６３の動作によって回避される。スイッチング電源２０によって発生せしめられるノイズの更なる減衰が、低域通過フィルタ９２、９４及び９６の動作によって達成される。フェライトビード４２、４３及び４４によってアースグラウンド４１とシステムグラウンド４０との間に確立されるＡＣインピーダンス差は、ＤＣ／ＤＣコンバータ５６、５８及び６０の負入力７６、７９及び７１に現れるスイッチングノイズが、アースされたシャーシグラウンド４１にバイパスキャパシタＣ３、Ｃ５及びＣ８を介してそれぞれ分流されるのを可能とする一方、システムグラウンド４０、従って負荷１２、１４及び１６をかかるノイズから効果的に絶縁する。かくして、ネットワーク１０は、少なくとも一つのスイッチング電源２０を含むことができ、しかも、過度のレベルのＥＭＩを放射することもなく、また、かかるスイッチング電源によって発生せしめられる可能性のある、不適当なレベルの電気ノイズを、ネットワーク１０に接続された負荷１２、１４及び／又は１６のいずれにも伝播せしめることがない。
【００１９】
本開示に照らして、当業者は、適法な均等物を含め、特許請求の範囲にて特に指摘されかつ明白に請求された本発明の範囲から逸脱することなく、様々な構造的及び／又は作用的変更がなされるうることを、認識するであろう。
【図面の簡単な説明】
【００２０】
【図１】本発明に従って構成された好適な低ノイズ分散型スイッチング電源ネットワークのブロック図である。
【図２】図３と図４との関係を示す図である。
【図３】図１に一致して構成された型の低ノイズ分散型スイッチング電源ネットワークを詳細に示す電気配線図（１／２）である。
【図４】図１に一致して構成された型の低ノイズ分散型スイッチング電源ネットワークを詳細に示す電気配線図（２／２）である。
【符号の説明】
【００２１】
１０    低ノイズ分散型スイッチング電源ネットワーク
１２，１４，１６    システム負荷
１８    システム負荷（コンプレッサモータ）
２０    スイッチング電源
２４    ＡＣ入力
３０    線路導体
３３    中性導体
３６    外部ＡＣ電力幹線
４０    システムグラウンド導体
４１    アースグラウンド
４２，４３，４４    フェライトビード(bead)（例えば、インダクタ）
４６    ＤＣ出力端子
４８    ＤＣリターン端子
５１    ＤＣバス
５６，５８，６０    ＤＣ／ＤＣコンバータ
６３    低域通過フィルタ
６６，６９，７１    正入力
７６，７９，８１    負入力
８３，８４；８６，８７；８９，９０    一対の出力接続点
９２，９４，９６    低域通過フィルタ
９７，９８，９９    ノード
１０１    スイッチング電源
１０３    ＡＣ入力
１０６    ＤＣ出力端子
１０８    ＤＣリターン端子
１１０    低域通過フィルタ
１２０    ローカル又はリモートコントローラ
【図１】
2007202395.tif 000004
【図２】
2007202395.tif 000005
【図３】
2007202395.tif 000006
【図４】
2007202395.tif 000007